(57)【要約】【課題】  撮影済画像に対して意図した構図を決定してプリント時に便宜を図ることができるデジタルカメラを提供する。【解決手段】  液晶モニタ３１の表示画面に表示された撮影済画像３１＿１に重畳してその撮影済画像３１＿１の一部からなる部分画像３１＿１１，３１＿１２を囲う枠５１，５２を表示し、それら枠５１，５２により囲われた部分画像３１＿１１，３１＿１２に対応する部分画像データを特定する部分画像特定情報をメモリに記憶させる。【選択図】        図４
2005033654.tif 000002
【特許請求の範囲】
【請求項１】
撮影操作により被写体を表わす画像データを取り込むデジタルカメラにおいて、
撮影により得られた画像データを記憶する画像記憶部と、
撮影により得られた画像データに基づく撮影済画像を表示画面上に表示する画像表示部と、
操作に応じて、前記表示画面上に、該表示画面に表示された撮影済画像に重畳して該撮影済画像の一部からなる部分画像を囲う枠を表示する枠表示操作部と、
前記画像記憶部に、前記表示画面に表示された枠により囲われた部分画像に対応する部分画像データを特定する部分画像特定情報を記憶させる画像記憶制御部とを備えたことを特徴とするデジタルカメラ。
【請求項２】
前記画像表示部は、撮影前のスルー画像についても前記表示画面に表示するものであり、前記枠表示操作部は、前記表示画面上にスルー画像が表示された状態においても、操作に応じて、該表示画面上に表示されたスルー画像に重畳して該スルー画像の一部を囲う枠を表示するものであって、
前記画像記憶制御部は、前記表示画面上にスルー画像と枠との双方が表示された状態における撮影操作に応じて、前記表示画面に撮影時に表示されていたスルー画像に対応する全体画像を表わす画像データを前記画像記憶部に記憶させるとともに、該画像記憶部に、前記表示画面上に撮影時に表示されていたスルー画像のうちの枠により囲われた部分画像に対応する部分画像データを特定する部分画像特定情報を記憶させるものであることを特徴とする請求項１記載のデジタルカメラ。
【請求項３】
前記画像記憶制御部は、前記画像記憶部に、前記部分画像特定情報を、前記画像データに付されたタグの形式で記憶させるものであることを特徴とする請求項１又は２記載のデジタルカメラ。
【請求項４】
前記画像記憶制御部は、前記画像記憶部に、前記画像データのうちの前記部分画像データを切り出して該部分画像データを別ファイルに複写することをもって、前記部分画像特定情報を記憶させるものであることを特徴とする請求項１記載のデジタルカメラ。
【請求項５】
前記画像記憶制御部は、前記表示画面上にスルー画像と枠との双方が表示された状態における撮影操作に応じて、前記画像記憶部に、前記画像データを記憶させるとともに、該画像記憶部に前記部分画像データを記憶させることをもって、前記部分画像特定情報を記憶させるものであることを特徴とする請求項２記載のデジタルカメラ。
【請求項６】
前記画像記憶制御部は、前記画像記憶部に、前記部分画像を表わす、撮影条件の異なる複数の部分画像データを記憶させるものであることを特徴とする請求項５記載のデジタルカメラ。
【請求項７】
前記枠表示操作部は、前記表示画面上に、操作に応じて位置および寸法の変更が自在な枠を表示するものであることを特徴とする請求項１又は２記載のデジタルカメラ。
【請求項８】
前記枠表示操作部は、操作に応じて、枠内の部分画像のプリント時の寸法を特定するものであり、
前記画像記憶制御部は、前記画像記憶部に、前記部分画像特定情報とともに、プリント時の寸法を特定するプリントサイズ情報を記憶させるものであることを特徴とする請求項１又は２記載のデジタルカメラ。
【発明の詳細な説明】
【技術分野】
【０００１】
本発明は、撮影操作により被写体を表わす画像データを取り込むデジタルカメラに関する。
【背景技術】
【０００２】
従来より、液晶表示装置の画面上に被写体像を表示させるとともにその被写体像上に補助枠を重ねて表示させておき、補助枠を参照して被写体の構図を決定して写真撮影を行なうデジタルカメラが提案されている（特許文献１参照）。このデジタルカメラによれば、撮影に不慣れな初心者であっても、バランスのとれた撮影画像を得ることができる。
【０００３】
また、運転免許証，パスポート等に使用される証明写真の大きさとなる範囲を示す枠となる視野図をファインダ（もしくはファインダに取り付けられるアダプタ）に付した証明写真サイズ表示機能付きカメラが提案されている（特許文献２参照）。このカメラによれば、適切な大きさの証明写真用の画像を得ることができる。
【０００４】
さらに、被写体の大きさと比較することができる比較物体の画像データを登録しておき、その画像データからなる像を撮影時に被写体像とともに表示／記録する画像表示／記録補助機能を有するデジタルカメラが提案されている（特許文献３参照）。このデジタルカメラによれば、ユーザは、被写体のおおよその大きさを感覚的に把握して撮影を行なうことができる。
【特許文献１】特開２０００−２７０２４２号公報
【特許文献２】登実第３００４５４０号公報
【特許文献３】特開平１１−１０２００７号公報
【発明の開示】
【発明が解決しようとする課題】
【０００５】
上述した特許文献１，２，３に提案された技術は、いずれも撮影時において意図した構図を決定し、その構図に基づいて写真撮影を行なう技術であり、撮影済画像に対して意図した構図を決定してプリント時に便宜を図るという技術に関しては述べられていない。
【０００６】
本発明は、上記事情に鑑み、撮影済画像に対して意図した構図を決定してプリント時に便宜を図ることができるデジタルカメラを提供することを目的とする。
【課題を解決するための手段】
【０００７】
上記目的を達成する本発明のデジタルカメラは、撮影操作により被写体を表わす画像データを取り込むデジタルカメラにおいて、
撮影により得られた画像データを記憶する画像記憶部と、
撮影により得られた画像データに基づく撮影済画像を表示画面上に表示する画像表示部と、
操作に応じて、上記表示画面上に、その表示画面に表示された撮影済画像に重畳してその撮影済画像の一部からなる部分画像を囲う枠を表示する枠表示操作部と、
上記画像記憶部に、上記表示画面に表示された枠により囲われた部分画像に対応する部分画像データを特定する部分画像特定情報を記憶させる画像記憶制御部とを備えたことを特徴とする。
【０００８】
本発明のデジタルカメラは、表示画面に表示された撮影済画像に重畳してその撮影済画像の一部からなる部分画像を囲う枠を表示し、その枠により囲われた部分画像に対応する部分画像データを特定する部分画像特定情報を記憶させるものであるため、例えば、撮影済画像に対して運転免許証，履歴書，パスポート等に使用される各種の証明写真用の大きさに加工されてなる部分画像データを特定する部分画像情報を記憶しておき、その部分画像情報に基づいて、プリンタで所望の大きさの証明写真を簡単に印刷することができる。従って、撮影済画像に対して意図した構図を決定してプリント時に便宜を図ることができる。
【０００９】
ここで、上記画像表示部は、撮影前のスルー画像についても上記表示画面に表示するものであり、上記枠表示操作部は、上記表示画面上にスルー画像が表示された状態においても、操作に応じて、その表示画面上に表示されたスルー画像に重畳してそのスルー画像の一部を囲う枠を表示するものであって、
上記画像記憶制御部は、上記表示画面上にスルー画像と枠との双方が表示された状態における撮影操作に応じて、上記表示画面に撮影時に表示されていたスルー画像に対応する全体画像を表わす画像データを上記画像記憶部に記憶させるとともに、その画像記憶部に、上記表示画面上に撮影時に表示されていたスルー画像のうちの枠により囲われた部分画像に対応する部分画像データを特定する部分画像特定情報を記憶させるものであることが好ましい。
【００１０】
このようにすると、撮影時においても意図した構図を決定してプリント時に便宜を図ることができる。
【００１１】
また、上記画像記憶制御部は、上記画像記憶部に、上記部分画像特定情報を、上記画像データに付されたタグの形式で記憶させるものであることも好ましい。
【００１２】
部分画像特定情報を、画像データに付されたタグの形式で記憶させると、画像記憶部の記憶容量が少なくて済む。
【００１３】
さらに、上記画像記憶制御部は、上記画像記憶部に、上記画像データのうちの上記部分画像データを切り出してその部分画像データを別ファイルに複写することをもって、上記部分画像特定情報を記憶させるものであってもよい。
【００１４】
このようにすると、部分画像データの管理が簡素化される。
【００１５】
また、上記画像記憶制御部は、上前記表示画面上にスルー画像と枠との双方が表示された状態における撮影操作に応じて、上記画像記憶部に、上記画像データを記憶させるとともに、その画像記憶部に上記部分画像データを記憶させることをもって、上記部分画像特定情報を記憶させるものであってもよい。
【００１６】
このようにすると、全体画像を表わす画像データと部分画像データとの対応付けが簡素化される。
【００１７】
さらに、上記画像記憶制御部は、上記画像記憶部に、上記部分画像を表わす、撮影条件の異なる複数の部分画像データを記憶させるものであってもよい。
【００１８】
このようにすると、撮影条件の異なる複数の部分画像データからなる画像の中から所望の画像を選択することができる。
【００１９】
また、上記枠表示操作部は、上記表示画面上に、操作に応じて位置および寸法の変更が自在な枠を表示するものであってもよい。
【００２０】
このようにすると、所望の大きさの写真用の枠を表示することができる。
【００２１】
さらに、上記枠表示操作部は、操作に応じて、枠内の部分画像のプリント時の寸法を特定するものであり、
上記画像記憶制御部は、上記画像記憶部に、上記部分画像特定情報とともに、プリント時の寸法を特定するプリントサイズ情報を記憶させるものであってもよい。
【００２２】
このようにすると、プリンタで部分画像を印刷するにあたり、その部分画像のプリント時の寸法に見合ったサイズのプリント用紙を自動選択させることが可能となる。
【発明の効果】
【００２３】
以上説明したように、本発明のデジタルカメラによれば、撮影済画像に対して意図した構図を決定してプリント時に便宜を図ることができる。
【発明を実施するための最良の形態】
【００２４】
以下、本発明の実施形態について説明する。
【００２５】
図１は、本発明の一実施形態のデジタルカメラを前面から見た外観図である。
【００２６】
図１に示すデジタルカメラ１は、撮影操作により被写体を表わす画像データを取り込むデジタルカメラであり、このデジタルカメラ１の前面には、光学ズームレンズである撮影レンズ１１と、その撮影レンズ１１の右上部に光学式ファインダ対物窓１２が備えられている。また、このデジタルカメラ１の前面左上部には、撮影に同期してフラッシュ光を発するフラッシュ発光装置１３が備えられている。さらに、このデジタルカメラ１の上面には、シャッタボタン１４が備えられている。
【００２７】
図２は、図１に示すデジタルカメラを背面から見た外観図である。
【００２８】
図２に示すデジタルカメラ１の背面左上部には、光学式ファインダ接眼窓２１が備えられている。また、デジタルカメラ１の背面右上部には、撮影モードや再生モード等を回転自在に切り換えるモード切換ダイヤル２２が備えられている。このモード切換ダイヤル２２には、各種のモードの絵柄が印刷されている。また、モード切換ダイヤル２２の左側には、指標２３が設けられている。ユーザは、モード切換ダイヤル２２を回転して所望のモードの絵柄を指標２３に位置決めすることにより、その所望のモードに設定することができる。
【００２９】
さらに、モード切換ダイヤル２２の内側には、上下左右ボタン２４が備えられている。この上下左右ボタン２４には、上矢印、下矢印、左矢印、および右矢印が印刷されている。上下左右ボタン２４の、各矢印の部分は、押下自在に形成されている。
【００３０】
また、デジタルカメラ１の背面下方には、液晶モニタ３１が備えられている。この液晶モニタ３１は、本発明にいう画像表示部の一例に相当するものであり、撮影前のスルー画像や撮影により得られた画像データに基づく撮影済画像を表示画面上に表示する。
【００３１】
液晶モニタ３１の上部には、シフトボタン３２、表示ボタン３３、電源スイッチ３４、および実行ボタン３５が備えられている。
【００３２】
シフトボタン３２は、上述した上下左右ボタン２４とともに、液晶モニタ３１の表示画面上に表示される撮影済画像の一部からなる部分画像を囲う枠を移動したりするためのボタンである。
【００３３】
表示ボタン３３は、上述した上下左右ボタン２４とともに、本発明にいう枠表示操作部の一例に相当する役割を担うものであり、詳細は後述するが、液晶モニタ３１の表示画面を点灯させたり、液晶モニタ３１の表示画面上に撮影済画像の一部からなる部分画像を囲う枠を表示させたりするボタンである。
【００３４】
電源スイッチ３４は、このデジタルカメラ１の電源をオン，オフさせるスライド式のスイッチであり、右側にスライドさせるとデジタルカメラ１の電源がオンし、左側にスライドさせるとデジタルカメラ１の電源がオフする。
【００３５】
実行ボタン３５は、後述する画像記憶部に、液晶モニタ３１の表示画面に表示された枠により囲われた部分画像に対応する部分画像データを特定する部分画像特定情報を記憶させたり、選択されたメニューを決定するためのボタンである。
【００３６】
図３は、図１に示すデジタルカメラの回路構成を示すブロック図である。
【００３７】
このデジタルカメラ１には、前述した撮影レンズ１１と、その撮影レンズ１１を経由して結像された被写体像をアナログの画像信号に変換する撮像素子４１が備えられている。
【００３８】
また、このデジタルカメラ１には、撮像素子４１からのアナログの画像信号をガンマ補正，白バランス調整等のアナログ信号処理を行なうアナログ信号処理部４２と、そのアナログ信号処理部４２で処理されたアナログの画像信号をデジタルの画像信号にＡ／Ｄ変換するＡ／Ｄコンバータ４３と、そのＡ／Ｄコンバータ４３からの画像信号をデジタル処理するデジタル信号処理部４４と、そのデジタル信号処理部４４で実行されるデジタル処理に必要なプログラムデータ等が格納されたＲＯＭ４５とが備えられている。デジタル信号処理部４４でデジタル処理された画像データは、液晶モニタ３１に向けて出力される。
【００３９】
さらに、このデジタルカメラ１には、上記デジタル信号処理部４４とのやり取りを行なうとともにシャッタボタン１４からの操作情報が入力されるＣＰＵ４６が備えられている。また、このＣＰＵ４６は、本発明にいう画像記憶制御部の役割を担うものであり、具体的には、後述するメモリ４９に、液晶モニタ３１の表示画面に表示された枠により囲われた部分画像に対応する部分画像データを特定する部分画像特定情報を、デジタル信号処理部４４を経由して記憶させるものである。尚、部分画像特定情報については後述する。
【００４０】
また、デジタルカメラ１には、自動露出調整用のＡＥデータおよび自動焦点調整用のＡＦデータをＣＰＵ４６に向けて出力するＡＥ／ＡＦ部４７と、前述したモード切換ダイヤル２２，上下左右ボタン２４，シフトボタン３２，表示ボタン３３，実行ボタン３５からなる操作部４８とが備えられている。
【００４１】
さらに、このデジタルカメラ１には、デジタル信号処理部４４からの画像データを格納するとともに格納された画像データをデジタル信号処理部４４に向けて出力するメモリ４９（本発明にいう画像記憶部の一例に相当）と、デジタル信号処理部４４からの画像データが格納されるメモリカード５０が備えられている。
【００４２】
図４は、液晶モニタの表示画面上に表示された、撮影済画像およびその撮影済画像に重畳して表示された枠を示す図である。
【００４３】
液晶モニタ３１の表示画面上には、撮影済画像３１＿１が表示されている。また、撮影済画像３１＿１に重畳して、その撮影済画像３１＿１の部分画像３１＿１１，３１＿１２を囲う運転免許証用の枠５１，履歴書用の枠５２が表示されている。
【００４４】
図５は、図３に示すメモリの構造を示す概略模式図である。
【００４５】
図４に示すメモリ４９を構成する領域４９＿１には、撮影済画像３１＿１である全体画像を表わす画像データが格納されている。また、上記枠５１，５２により囲われた部分画像３１＿１１，３１＿１２に対応する部分画像データを特定する部分画像特定情報（運転免許証用の枠５１，履歴書用の枠５２を特定する情報）が、上記画像データに付されたタグの形式で部分領域４９＿１ａ，４９＿１ｂに記憶されている。
【００４６】
図６は、図４に示す枠内の部分画像をプリンタで印刷した一例を示す図である。
【００４７】
図６（ａ）には、１枚のプリント用紙６１上に、前述した枠５１，５２により囲われた部分画像３１＿１１，３１＿１２が印刷されている。これら部分画像３１＿１１，３１＿１２は、メモリ４９の部分領域４９＿１１ａ，４９＿１２ａに記憶された部分画像特定情報に基づいて印刷される。また、図６（ｂ）には、１枚のプリント用紙６２上に、１つの部分画像３１＿１２が印刷されている。このように、メモリ４９の部分領域４９＿１１ａ，４９＿１２ａに記憶された部分画像特定情報に基づいて、図示しないプリンタで、１枚のプリント用紙６１上に、複数の枠５１，５２により囲われた複数の部分画像３１＿１１，３１＿１２を印刷したり、１枚のプリント用紙６２上に、枠５１により囲われた部分画像３１＿１１のみ印刷することができる。
【００４８】
本実施形態のデジタルカメラ１は、液晶モニタ３１の表示画面に表示された撮影済画像３１＿１に重畳してその撮影済画像３１＿１の一部からなる部分画像３１＿１１，３１＿１２を囲う枠５１，５２を表示し、それら枠５１，５２により囲われた部分画像３１＿１１，３１＿１２に対応する部分画像データを特定する部分画像特定情報を記憶させるものであるため、撮影済画像３１＿１に対して、運転免許証，履歴書に使用される証明写真用の大きさに加工されてなる部分画像データを特定する部分画像情報を記憶しておき、その部分画像情報に基づいて、プリンタで所望の大きさの証明写真を簡単に印刷することができる。従って、撮影済画像に対して意図した構図を決定してプリント時に便宜を図ることができる。また、部分画像特定情報は、画像データに付されたタグの形式で記憶されるため、メモリ４９の記憶容量が少なくて済む。
【００４９】
さらに、本実施形態のデジタルカメラ１では、液晶モニタ３１の表示画面上に撮影前のスルー画像が表示された状態においても、操作に応じて、その表示画面上に表示されたスルー画像に重畳してそのスルー画像の一部を囲う枠を表示することができる。また、ＣＰＵ４６は、表示画面上にスルー画像と枠との双方が表示された状態における撮影操作に応じて、その表示画面に撮影時に表示されていたスルー画像に対応する全体画像を表わす画像データをメモリ４９に記憶させるとともに、メモリ４９に、表示画面上に撮影時に表示されていたスルー画像のうちの枠により囲われた部分画像に対応する部分画像データを特定する部分画像特定情報を、画像データに付されたタグの形式で記憶させるものである。このため、撮影時においても、所望の大きさの証明写真を意識して撮影することができる。
【００５０】
図７は、液晶モニタの表示画面上に表示される、各種証明写真用の枠の一例を示す図である。
【００５１】
図７には、液晶モニタ３１の表示画面内に、それぞれが矩形状の写真枠で表わされる運転免許証用の枠５１と、履歴書用の枠５２と、パスポート用の枠５３とが示されている。これらの枠５１，５２，５３を、撮影済画像３１＿１に重畳して表示させて、それら枠５１，５２，５３により囲われた部分画像に対応する部分画像データを特定する部分画像特定情報をメモリ４９に記憶させることにより、プリント時にそれらの枠５１，５２，５３により決定される大きさの証明写真を簡単に印刷することができる。ここで、これらの枠５１，５２のサイズは、予め用意されており、上下左右ボタン２４や実行ボタン３５を操作して所望の枠を選択することができる。また、枠の位置も、シフトボタン３２や上下左右ボタン２４を操作することにより自在に移動させることができる。さらに、複数の枠を同時に表示することもできる。尚、枠のサイズを自在に変更するモードを用意してもよい。
【００５２】
図８は、液晶モニタの表示画面上に表示される、図７に示す各種証明写真用の枠とは異なる枠を示す図である。
【００５３】
図８には、液晶モニタ３１の表示画面内に、それぞれがコーナー部のみで表わされる写真枠である運転免許証用の枠７１と、履歴書用の枠７２と、パスポート用の枠７３とが示されている。このような枠を用意してもよい。
【００５４】
また、本実施形態のデジタルカメラ１では、ＣＰＵ４６により、メモリ４９に、画像データのうちの部分画像データを切り出してその部分画像データを別ファイルに複写することをもって、部分画像特定情報を記憶させるようにすることもできる。
【００５５】
図９は、複数のファイルからなるフォルダを示す図である。
【００５６】
図９に示すフォルダ８０は、複数の部分画像１，２，３，…が複写された複数のファイル８１，８２，８３，…を有する。各ファイル８１，８２，８３，…には、各部分画像１，２，３，…を特定する各部分画像特定情報が記憶されており、これら部分画像特定情報に基づいて、各ファイル８１，８２，８３，…に各枠８１ａ，８２ａ，８３ａ，…が登録される。このようなフォルダ８０を用意すると、部分画像１，２，３，…の管理を簡素化することができるとともに、プリント時にこれら部分画像１，２，３，…からなる写真をまとめて印刷することができる。
【００５７】
図１０は、１つの部分画像が複写された１つのファイルを示す図である。
【００５８】
図１０に示すファイル９０には、１つの部分画像９１が複写されている。また、このファイル９０には、部分画像９１を特定する部分画像特定情報が記憶されており、この部分画像特定情報に基づいた枠９１ａがファイル９０上に登録される。
【００５９】
尚、ＣＰＵ４６は、液晶モニタ４９の表示画面上にスルー画像と枠との双方が表示された状態における撮影操作に応じて、メモリ４９に、全体画像を表わす画像データを記憶させるとともに、そのメモリ４９に部分画像データを記憶させることをもって、上記部分画像特定情報を記憶させるものであってもよい。このようにすると、メモリ４９に記憶される画像データの容量は増えるものの、全体画像を表わす画像データと部分画像データとの対応付けが簡素化される。
【００６０】
図１１は、液晶モニタの表示画面上に表示される枠と寸法の一例を示す図である。
【００６１】
液晶モニタ３１の表示画面内には、部分画像を囲う３つの枠１０１，１０２，１０３が表示されている。ここで、３つの枠１０１，１０２，１０３を代表して、枠１０１の左側および下側に、その枠１０１の大きさの範囲を示す寸法４ｃｍおよび３ｃｍの文字が表示されている。このようにすることにより、ユーザは印刷時における画像の実寸法を簡単に知ることができる。
【００６２】
図１２は、液晶モニタの表示画面上に表示される枠と寸法の他の例を示す図である。
【００６３】
液晶モニタ３１の表示画面内には、３つの枠１０１，１０２，１０３が表示されている。各枠１０１，１０２，１０３の左側および上側には、それぞれ、寸法４０および寸法３０の文字が表示されている。このようにすると、ユーザは印刷時における複数の画像の実寸法を即座に知ることができる。
【００６４】
図１３は、液晶モニタの表示画面上に表示された枠の寸法設定例を説明するための図である。
【００６５】
液晶モニタ３１の表示画面上に表示された枠１０４の寸法（プリントサイズ）を設定するには、先ず、図２に示すモード切換ダイヤル２２を操作してセットアップモードにする。次いで、シフトボタン３２，上下左右ボタン２４を操作して枠１０４の横幅寸法の数値４０を入力し、実行ボタン３５を押下して決定する。同様にして、枠１０４の縦幅寸法の数値５０を入力し、実行ボタン３５を押下して決定する。このようにして、枠１０４の寸法（プリントサイズ）を設定する。
【００６６】
設定された寸法を表わす情報は、ＣＰＵ４６（図３参照）によりメモリ４９に記憶される。このように、プリント時の寸法を特定するプリント情報がメモリ４９に記憶されるため、プリンタで部分画像を印刷するにあたり、その部分画像のプリント時の寸法に見合ったサイズのプリント用紙を自動選択させることも可能である。
【００６７】
図１４は、液晶モニタの表示画面上に表示される枠の一例を示す図、図１５は、液晶モニタの表示画面上に表示される枠の他の例を示す図である。
【００６８】
図１４に示す液晶モニタ３１の表示画面内には、コーナー部のみで示される枠１０５が表示されている。この場合は、全体画像およびこの枠１０５で囲われた部分画像が表示される。また、図１５に示す液晶モニタ３１の表示画面内には、中央部３１ａを除く周辺部３１ｂが白地で表示されることにより形成された枠１０６が表示されている。この場合は、枠１０６で囲われた部分画像のみが表示される。このような枠を選択して、液晶モニタ３１の表示画面上に所望の画像を表示してもよい。
【００６９】
図１６は、撮影条件の異なる複数の部分画像データが表わす複数の部分画像を示す図である。
【００７０】
本実施形態のデジタルカメラ１で、露出、ホワイトバランス、コントラストを変更して複数枚の写真を撮影したり、あるいは連写モードにより複数枚の写真撮影を行ない、メモリ４９に記憶させる。このようにして記憶した撮影条件の異なる複数の部分画像データが表わす複数の部分画像Ａ，Ｂ，Ｃ，Ｄを、液晶モニタ３１の表示画面上に表示しておき、これら複数の部分画像Ａ，Ｂ，Ｃ，Ｄの中から所望の部分画像を選択することにより、適切な写真を印刷することができる。
【００７１】
図１７は、液晶モニタの表示画面上に表示された、撮影済の３人分の画像およびそれら３人分の画像に重畳して表示された３つの枠を示す図である。
【００７２】
液晶モニタ３１の表示画面上には、撮影済の３人分の画像１１１，１１２，１１３が表示されており、これら３人分の画像１１１，１１２，１１３の顔の部分を囲うように、証明写真用の枠１２１，１２２，１２３が重畳して表示されている。このようにすることにより、一度に３人分の証明写真をプリンタで印刷することができる。
【００７３】
図１８は、液晶モニタの表示画面上に表示された、撮影済の６人分の画像およびそれら６人分の画像に重畳して表示された６つの枠を示す図である。
【００７４】
液晶モニタ３１の表示画面上には、撮影済の６人分の画像１３１，１３２，１３３，１３４，１３５，１３６が表示されており、これら６人分の画像１３１，１３２，１３３，１３４，１３５，１３６の顔の部分を囲うように、証明写真用の枠１４１，１４２，１４３，１４４，１４５，１４６が重畳して表示されている。このようにすることにより、一度に６人分の証明写真をプリンタで印刷することができる。
【００７５】
図１９は、液晶モニタに表示された枠を操作するための操作ルーチンのフローチャートである。
【００７６】
先ず、ステップＳ１において、図２に示す表示ボタン３３がオン（第１回目）されたか否かが判定される。表示ボタン３３がオンされていないと判定された場合は、表示ボタン３３がオンされるまで、このステップＳ１を繰り返し実行する。表示ボタン３３がオンされたと判定された場合はステップＳ２に進む。
【００７７】
ステップＳ２では、液晶モニタ３１をオンする。これにより、液晶表示モニタ３１の表示画面が点灯する。さらに、ステップＳ３に進む。
【００７８】
ステップＳ３では、表示ボタン３３がオン（第２回目）されたか否かが判定される。表示ボタン３３がオンされていないと判定された場合は、表示ボタン３３がオンされるまで、このステップＳ３を繰り返し実行する。表示ボタン３３がオンされたと判定された場合はステップＳ４に進む。
【００７９】
ステップＳ４では、液晶表示モニタ３１の表示画面上に、印刷用の枠を表示してステップＳ５に進む。
【００８０】
ステップＳ５では、左ボタンもしくは右ボタン（上下左右ボタン２４の左矢印もしくは右矢印）がオンされたか否かが判定される。左ボタンがオンされたと判定された場合は、後述するステップＳ９に進む。一方、右ボタンがオンされたと判定された場合はステップＳ６に進む。
【００８１】
ステップＳ６では、再生画像及び被写体上に枠を重畳して表示する。
【００８２】
次に、ステップＳ７において、シフトボタン３２と、上下左右ボタン２４のうちのいずれかのボタン（上下左右のいずれかの矢印）とが同時に押下されたか否かが判定される。同時に押下されていないと判定された場合は、このルーチンを終了する。一方、同時に押下されたと判定された場合はステップＳ８に進む。
【００８３】
ステップＳ８では、上下左右ボタン２４のうちの押されたボタンに対応する方向に印刷用の枠を移動してこのルーチンを終了する。
【００８４】
また、ステップＳ５において、左ボタンがオンされたと判定されてステップＳ９に進んだ場合は、そのステップＳ９において、印刷用の枠の種類（運転免許証用，履歴書用，パスポート用）を選択してステップＳ１０に進む。
【００８５】
ステップＳ１０では、実行ボタン３５がオンされたか否かが判定される。実行ボタン３５がオンされていないと判定された場合は、実行ボタン３５がオンされるまで、このステップＳ１０を繰り返し実行する。実行ボタン３５がオンされたと判定された場合はステップＳ１１に進む。
【００８６】
ステップＳ１１では、プリントサイズを選択してステップＳ１２に進む。
【００８７】
ステップＳ１２では、実行ボタン３５がオンされたか否かが判定される。実行ボタン３５がオンされていないと判定された場合は、実行ボタン３５がオンされるまで、このステップＳ１２を繰り返し実行する。実行ボタン３５がオンされたと判定された場合はこのルーチンを終了する。
【００８８】
図２０は、液晶モニタに表示された画像をプリンタで印刷した場合の第１のプリントサンプル例を示す図である。
【００８９】
図２０に示すプリント用紙１５０には、そのプリント用紙１５０全体に印刷された全体画像１５１と、その全体画像１５１の部分画像１５１を囲む点線枠１５２とが印刷されている。ユーザは、この点線枠１５２を目安にして部分画像１５１をカットすることにより所望の大きさの証明写真等を簡単に得ることができる。尚、ここでは、部分画像１５１をカットするための目安として点線枠１５２の例で説明したが、点線枠に代えて細線等であってもよい。
【００９０】
図２１は、液晶モニタに表示された画像をプリンタで印刷した場合の第２のプリントサンプル例を示す図である。
【００９１】
図２１に示すプリント用紙１５０には、全体画像１５１（図示省略）の部分画像１５１と、その部分画像１５１を囲む点線枠１５２と、点線枠１５１の外部に部分画像１５１の大きさを示す寸法（３０および４０）とが印刷されている。このように、部分画像１５１の大きさを示す寸法が印刷されているため、ユーザは、その部分画像の大きさを正確に知ることができる。
【００９２】
図２２は、液晶モニタに表示された画像をプリンタで印刷した場合の第３のプリントサンプル例を示す図である。
【００９３】
図２２に示すプリント用紙１５０には、部分画像１５１のみが印刷されている。このように、プリント用紙１５０に、部分画像１５１のみ印刷し、残りの部分を余白１５３とすることにより、プリンタのインク（もしくはトナー）を節約することができる。
【図面の簡単な説明】
【００９４】
【図１】本発明の一実施形態のデジタルカメラを前面から見た外観図である。
【図２】図１に示すデジタルカメラを背面から見た外観図である。
【図３】図１に示すデジタルカメラの回路構成を示すブロック図である。
【図４】液晶モニタの表示画面上に表示された、撮影済画像およびその撮影済画像に重畳して表示された枠を示す図である。
【図５】図３に示すメモリの構造を示す概略模式図である。
【図６】図４に示す枠内の部分画像をプリンタで印刷した一例を示す図である。
【図７】液晶モニタの表示画面上に表示される、各種証明写真用の枠の一例を示す図である。
【図８】液晶モニタの表示画面上に表示される、図７に示す各種証明写真用の枠とは異なる枠を示す図である。
【図９】複数のファイルからなるフォルダを示す図である。
【図１０】複数のファイルからなるフォルダを示す図である。
【図１１】液晶モニタの表示画面上に表示される枠と寸法の一例を示す図である。
【図１２】液晶モニタの表示画面上に表示される枠と寸法の他の例を示す図である。
【図１３】液晶モニタの表示画面上に表示された枠の寸法設定例を説明するための図である。
【図１４】液晶モニタの表示画面上に表示される枠の一例を示す図である。
【図１５】液晶モニタの表示画面上に表示される枠の他の例を示す図である。
【図１６】撮影条件の異なる複数の部分画像データが表わす複数の部分画像を示す図である。
【図１７】液晶モニタの表示画面上に表示された、撮影済の３人分の画像およびそれら３人分の画像に重畳して表示された３つの枠を示す図である。
【図１８】液晶モニタの表示画面上に表示された、撮影済の６人分の画像およびそれら６人分の画像に重畳して表示された６つの枠を示す図である。
【図１９】液晶モニタに表示された枠を操作するための操作ルーチンのフローチャートである。
【図２０】液晶モニタに表示された画像をプリンタで印刷した場合の第１のプリントサンプル例を示す図である。
【図２１】液晶モニタに表示された画像をプリンタで印刷した場合の第２のプリントサンプル例を示す図である。
【図２２】液晶モニタに表示された画像をプリンタで印刷した場合の第３のプリントサンプル例を示す図である。
【符号の説明】
【００９５】
１  デジタルカメラ
１１  撮影レンズ
１２  光学式ファインダ対物窓
１３  フラッシュ発光装置
１４  シャッタボタン
２１  光学式ファインダ接眼窓
２２  モード切換ダイヤル
２３  指標
２４  上下左右ボタン
３１  液晶モニタ
３１＿１  撮影済画像
３１＿１１，３１＿１２，９１，１５１  部分画像
３１ａ  中央部
３１ｂ  周辺部
３２  シフトボタン
３３  表示ボタン
３４  電源スイッチ
３５  実行ボタン
４１  撮像素子
４２  アナログ信号処理部
４３  Ａ／Ｄコンバータ
４４  デジタル信号処理部
４５  ＲＯＭ
４６  ＣＰＵ
４７  ＡＥ／ＡＦ部
４８  操作部
４９  メモリ
４９＿１  領域
４９＿１ａ，４９＿１ｂ  部分領域
５０  メモリカード
５１，５２，５３，７１，７２，７３，８１ａ，８２ａ，８３ａ，９１ａ，１０１，１０２，１０３，１０４，１０５，１０６，１２１，１２２，１２３，１４１，１４２，１４３，１４４，１４５，１４６  枠
６１，６２，１５０  プリント用紙
８０  フォルダ
８１，８２，８３，９０  ファイル
１１１，１１２，１１３，１３１，１３２，１３３，１３４，１３５，１３６  画像
１５１  全体画像
１５２  点線枠
１５３  余白
【図１】
2005033654.tif 000003
【図２】
2005033654.tif 000004
【図３】
2005033654.tif 000005
【図４】
2005033654.tif 000006
【図５】
2005033654.tif 000007
【図６】
2005033654.tif 000008
【図７】
2005033654.tif 000009
【図８】
2005033654.tif 000010
【図９】
2005033654.tif 000011
【図１０】
2005033654.tif 000012
【図１１】
2005033654.tif 000013
【図１２】
2005033654.tif 000014
【図１３】
2005033654.tif 000015
【図１４】
2005033654.tif 000016
【図１５】
2005033654.tif 000017
【図１６】
2005033654.tif 000018
【図１７】
2005033654.tif 000019
【図１８】
2005033654.tif 000020
【図１９】
2005033654.tif 000021
【図２０】
2005033654.tif 000022
【図２１】
2005033654.tif 000023
【図２２】
2005033654.tif 000024